(57)【要約】【課題】近距離場通信を使用するオン・デマンド携帯型医療記録システムを提供する。【解決手段】本システム（１００）は、当該装置自身に記憶するために患者医療データを検索するように構成されている近距離場通信（ＮＦＣ）記憶装置（１３０）と、前記ＮＦＣ記憶装置から患者医療データを検索するために該装置と近距離場通信関係に係合するように構成されているＮＦＣ検索装置（１４０）とを含む。緊急オン・デマンド携帯型医療記録システム（３００）は、患者識別子を記憶している近距離場通信（ＮＦＣ）可能な医療警報装置と、ＮＦＣ記憶装置（３３０）から患者識別子を検索するために前記医療警報装置と近距離場通信関係に係合するＮＦＣ検索装置（３４０）とを含む。前記医療警報装置は近距離場通信により患者識別子を前記ＮＦＣ検索装置へ転送し、また患者識別子が検証された時に患者医療データが医療施設へ転送される。【選択図】図１
2009238225.tif 000002
【特許請求の範囲】
【請求項１】
近距離場通信を使用するオン・デマンド携帯型医療記録システム（１００，２００，３００）であって、
当該ＮＦＣ記憶装置（１３０，２３０，３３０）に記憶するために患者医療データを検索するように構成されている近距離場通信（ＮＦＣ）記憶装置（１３０，２３０，３３０）と、
前記ＮＦＣ記憶装置（１３０，２３０，３３０）から患者医療データを検索するために前記ＮＦＣ記憶装置（１３０，２３０，３３０）と近距離場通信関係に係合するように構成されているＮＦＣ検索装置（１４０，２４０，３４０）と、
を有しているオン・デマンド携帯型医療記録システム（１００，２００，３００）。
【請求項２】
更に、患者に関連した医療データを集めて記憶する個人医療情報管理サービス機関（１２０，２２０，３２０）を有している請求項１記載のシステム。
【請求項３】
更に、医療施設従事者によって使用するために前記ＮＦＣ検索装置（１４０，２４０，３４０）によって受け取った前記ＮＦＣ記憶装置（１３０，２３０，３３０）からの患者医療データを記憶する医療施設記憶装置（１５０，２５０，３５０）を有している請求項１記載のシステム。
【請求項４】
前記ＮＦＣ検索装置（１４０，２４０，３４０）は、構成設定可能な保持アルゴリズムを使用することにより、所定の範囲内に居る患者についての患者医療データを動的に検索し且つ前記範囲の外へ出て行く患者についての患者医療データをローカル記憶装置から消去する、請求項１記載のシステム。
【請求項５】
更に、前記ＮＦＣ記憶装置（１３０，２３０，３３０）及び前記ＮＦＣ検索装置（１４０，２４０，３４０）の内の少なくとも一方にロードすべき患者情報の種類に関する規則を使用者が特定できるようにするユーザ・インターフェースを有している請求項１記載のシステム。
【請求項６】
患者医療データの近距離場通信を行うための方法であって、
医療情報サービス機関（１２０，２２０，３２０）から近距離場通信（ＮＦＣ）可能な記憶装置（１３０，２３０，３３０）への患者医療データを検索する段階と、
前記ＮＦＣ可能な記憶装置（１３０，２３０，３３０）をＮＦＣ検索装置（１４０，２４０，３４０）に接近して位置決めすることによって、前記ＮＦＣ可能な記憶装置（１３０，２３０，３３０）から前記ＮＦＣ検索装置（１４０，２４０，３４０）への前記患者医療データの転送を開始させる段階と、
患者の診察に使用するために前記ＮＦＣ検索装置（１４０，２４０，３４０）から医療施設データ記憶装置（１５０，２５０，３５０）へ前記患者医療データを転送する段階と、
を有している方法。
【請求項７】
更に、前記転送する段階の前に前記ＮＦＣ検索装置（１４０，２４０，３４０）で前記患者医療データを確認する段階を有している請求項６記載の方法。
【請求項８】
前記開始させる段階は更に、救急隊員が前記ＮＦＣ可能な記憶装置（１３０，２３０，３３０）をＮＦＣ検索装置（１４０，２４０，３４０）に接近して位置決めしたことに応答して、前記ＮＦＣ可能な記憶装置（１３０，２３０，３３０）から前記ＮＦＣ検索装置（１４０，２４０，３４０）への前記患者医療データの転送を開始させる段階を有しており、前記ＮＦＣ可能な記憶装置（１３０，２３０，３３０）が医療警報装置を有している、請求項６記載の方法。
【請求項９】
近距離場通信を使用する緊急オン・デマンド携帯型医療記録システム（３００）であって、
患者識別子を記憶している近距離場通信（ＮＦＣ）可能な医療警報装置と、
前記ＮＦＣ可能な医療警報装置から前記患者識別子を検索するために前記ＮＦＣ可能な医療警報装置と近距離場通信関係に係合するように構成されているＮＦＣ検索装置（３４０）と、を有し、
前記ＮＦＣ可能な医療警報装置（３３０）が近距離場通信により前記患者識別子を前記ＮＦＣ検索装置（３４０）へ転送し、また前記患者識別子を検証した時に患者医療データが医療施設へ転送されること、
を特徴とする緊急オン・デマンド携帯型医療記録システム（３００）。
【請求項１０】
前記ＮＦＣ検索装置（３４０）は、構成設定可能な保持アルゴリズムを使用することにより、所定の範囲内に居る患者についての患者医療データを動的に検索し且つ前記範囲の外へ出て行く患者についての患者医療データをローカル記憶装置から消去する、請求項９記載のシステム。
【発明の詳細な説明】
【技術分野】
【０００１】
本発明は、一般的に云えば、携帯型医療記録に関するものである。より具体的には、本発明は、オン・デマンド携帯型医療記録の具現化のために近距離場通信（ＮＦＣ）技術を利用する方法及びシステムに関するものである。
【背景技術】
【０００２】
臨床又は保健医療環境は、混雑した要求の厳しい環境であり、該環境では、イメージング・システム、データ記憶システム、及び保健医療環境内で使用される他の設備についての機構及び改善された使い易さが役立つと考えられる。病院や診療所のような保健医療環境は、大量の専門職、患者、設備及びコンピュータ利用情報システムを含む。保健医療施設内の従事者は、複数の患者、システム、及び患者に対して質の高いサービスを提供するためのタスクを管理しなければならない。保健医療従事者は、彼らの業務の流れにおいて多数の困難又は障害に遭遇することがある。
【０００３】
保健医療の実務は電子データ及び記録管理が中心になっている。病院や診療所のような保健医療環境は、保健医療情報システム（ＨＩＳ）、放射線医学情報システム（ＲＩＳ）、臨床情報システム（ＣＩＳ）及び心血管情報システム（ＣＶＩＳ）のような様々な情報システム、並びに、画像保管通信システム（ＰＡＣＳ）、ライブラリー情報システム（ＬＩＳ）及び電子医療記録（ＥＭＲ）のような様々な記憶システムを含んでいる。記憶される情報としては、例えば、患者の病歴、イメージング・データ、試験結果、診断情報、管理情報、及び／又はスケジュール情報を挙げることができる。特定の情報システムについての情報は集中して記憶し又は複数の場所で分割することができる。保健医療従事者は、保健医療業務の流れの中の様々な時点で患者情報又は他の情報にアクセスしたいことがある。例えば、患者のイメージング走査中に、医療従事者は、医療情報システムに記憶されている患者診察命令のような患者情報にアクセスすることがある。その代わりに、医療従事者は、イメージング走査中に、病歴、診断及び／又は処置情報のような新しい情報を医療情報システムに入力することがある。
【０００４】
現在では、患者のライフタイム全体にわたる関連した患者情報は、様々な販売者及び様々な保健医療提供者からの紙、フォルダ及び種々異なる情報システムを含む多数のフォーマットで存在する。現在のシステムはこの情報を効果的に集めることができない。その上、現在のシステムは、保健医療提供者が病気を評価及び診断するときに患者の完全な病歴を理解する能力を持つように、上記の情報を一度に表示することができない。提供者は患者の全病歴を稀にしか見ることができない。より一般的には、提供者は、彼らが収集した情報、又は臨床環境において患者について行った質問に対する応答で受け取った情報しか持っていない。提供者が判定を行う時点において、提供者にとって入手可能な限られた知識により、重要な判定が為されている。
【０００５】
今日では、患者が病院又は他の保健医療施設を訪れたとき、患者はしばしば多量の事務手続きを完了した後でしか、保健医療専門者による診察を受けることができない。事務手続きを完了させることは時間が掛かることがあり、またその施設で以前に同様な事務手続きを行った患者にとっては苛立たせるものであり、また患者が自身の全ての病歴を憶えていないときは問題になる。
【０００６】
患者が病院を訪れたとき、管理事務部では、患者の人口統計学的情報を収集して、患者についての個人的プロフィールを生成することが必要である。患者に関する情報は、該プロフィールと関連付けられる。患者に関連した各部門は、患者から収集する任意の種類の診断情報について用紙に記入しなければならない。技師は任意の走査の前に用紙に記入しなければならない。看護士は、診断的評価の後に用紙に記入しなければならない。更に、委託医師は、走査を要求する前に申請書に記入しなければならない。
【０００７】
患者医療情報は一般に、看護師室や、Ｘ線写真読影室や、他の医療提供場所において、固定のワークステーションを介してアクセスされる。病院の中を動き回る医師は、情報の表示を自身の好みに構成設定することができない。
【０００８】
使用者に手で記入することを要求するような予め印刷された用紙を使用することは、非常に経費がかかり且つ効率が悪い。保健医療管理者は全ての用紙を収集して、患者のファイルにそれらを保持しなければならない。手作業によるデータ入力はまた、重大なエラーを招く。変更は、素早く且つ効率よく行うことができない。誰でもそれらのファイルにアクセスして個人情報を調べることができるので、重要な患者情報を保護し機密保障することは容易ではない。
【０００９】
更に、予め印刷された用紙に対して入力するための唯一の手段は、ペン又は鉛筆を使用することである。身体障害者及び／又は老齢者の患者は、ペンを持つこと又は紙に書くことが困難なときがある。人によっては視力が弱く、そのため、署名を要求されている書類の内容（例えば、患者の権利及び病院のプライバシー履行規則）を読み取るのが難しいことがある。
【００１０】
その上、医学的緊急事態（例えば、自動車事故により、個人が生命にかかわる損傷を被り且つ意識不明になっている事態）が生じた場合、生命を救い且つ永久的な損傷を低減するために素早い行動が重要であることがある。救急救命士（ＥＭＴ）が負傷者から何ら病歴を得ることができない場合、この情報の不足は、病院へ搬送しながら負傷者を助けようとしているＥＭＴにとって問題を生じさせ、場合によっては負傷者を危険にさらし及び／又は病院での処置を遅らせることがある。
【発明の概要】
【００１１】
本発明の或る特定の実施形態は、オン・デマンド携帯型医療記録のための方法及びシステムを提供する。
【００１２】
或る特定の実施形態は、近距離場通信を使用するオン・デマンド携帯型医療記録システムを提供する。本システムは、当該近距離場通信（ＮＦＣ）記憶装置に記憶するために患者医療データを検索するように構成されている近距離場通信（ＮＦＣ）記憶装置を含む。本システムはまた、ＮＦＣ記憶装置から患者医療データを検索するためにＮＦＣ記憶装置と近距離場通信関係に係合するように構成されているＮＦＣ検索装置を含む。
【００１３】
或る特定の実施形態は、患者医療データの近距離場通信を行うための方法を提供する。本方法は、医療情報サービス機関から近距離場通信（ＮＦＣ）可能な記憶装置への患者医療データを検索する段階を含む。本方法はまた、ＮＦＣ可能な記憶装置をＮＦＣ検索装置に接近して位置決めすることによって、ＮＦＣ可能な記憶装置からＮＦＣ検索装置への患者医療データの転送を開始させる段階を含む。本方法は更に、患者の診察に使用するためにＮＦＣ検索装置から医療施設データ記憶装置へ患者医療データを転送する段階を含む。
【００１４】
或る特定の実施形態は、近距離場通信を使用する緊急オン・デマンド携帯型医療記録システムを提供する。本システムは、患者識別子を記憶している近距離場通信（ＮＦＣ）可能な医療警報装置を含む。本システムはまた、ＮＦＣ記憶装置から患者識別子を検索するために前記ＮＦＣ可能な医療警報装置と近距離場通信関係に係合するように構成されているＮＦＣ検索装置を含む。ＮＦＣ可能な医療警報装置は、近距離場通信により患者識別子をＮＦＣ検索装置へ転送する。患者識別子が検証された時、患者医療データが医療施設へ転送される。
【図面の簡単な説明】
【００１５】
【図１】図１は、本発明の一実施形態に従った模範的なオン・デマンド携帯型医療記録システム及び業務の流れを例示する。
【図２】図２は、本発明の一実施形態に従った模範的な付き添い無しのオン・デマンド携帯型医療記録システム及び業務の流れを例示する。
【図３】図３は、本発明の一実施形態に従った模範的な緊急オン・デマンド携帯型医療記録システム及び業務の流れを例示する。
【発明を実施するための形態】
【００１６】
上記の概要、並びに本発明の様々な特定の実施形態についての以下の説明は、添付の図面を参照して読むことにより一層よく理解されよう。本発明を例示するために、特定の実施形態を図面に示す。ところで、本発明が図面に示された配置構成及び手段に制限されないことを理解されたい。
【００１７】
或る特定の実施形態は、使用者が希望された病歴及び／又は個人医療情報（ＰＭＩ）を彼らの携帯電話から臨床医療サイトの検索装置へ転送するのを可能にする。個人医療情報の携帯電話による転送は、例えば、時間を節約し、使用者の経験を改善し、情報の正確さを改善することができる。
【００１８】
緊急事態においては、或る特定の実施形態は、個人の携帯電話から患者病歴の全て又は一部を読み出して、その情報を可搬型走査装置に転送することにより、その情報をＥＭＴ、診療医及び／又は他の病院職員／システムに提供するために使用することができる。或る特定の実施形態では、パスワード及び／又は生体認証のような機密保障（セキュリティ）対策を電話及び／又は検索装置に組み込んで、個人の情報が不適切に送信されないように保証するのに役立てることができる。
【００１９】
或る特定の実施形態は、近距離場通信（ＮＦＣ）技術を利用して、所有者の病歴を受信用ＮＦＣ装置へ送る。該ＮＦＣ装置は、例えば、独立型とするか、或いは病院又は保健医療提供者のネットワークに接続することができる。装置が公認情報ネットワークに接続されている場合、情報はＮＦＣ装置からサイトの医療記録保存装置及び／又は関連表示装置（例えば、ＧＥ社のヘルスケアズ・セントリシティ(Healthcares Centricity)製品の記憶装置及び／又は表示装置）に送られる。或る特定の実施形態では、臨床医療サイトは患者の医療情報を機密保障して記憶することができる。
【００２０】
ＮＦＣ技術は、情報を転送するために２つのＮＦＣ可能な装置を接近させることを必要とする。これらの装置を接近して位置決めすることは、例えば、機密保障の向上と云う付加的な利益をもたらし、また他の無線波技術に対する改善策である。
【００２１】
以下に更に説明するように、患者の医療情報は、幾つかの入手可能な転送手段の内の１つを使用して検索された後、携帯電話及び／又は他の携帯型装置上に記憶させることができる。
【００２２】
近距離場通信（ＮＦＣ）は短距離の無線接続技術である。ＮＦＣは、情報を転送する携帯電話及び／又は他の携帯型電子装置を含む様々な装置により使用することができる。ＮＦＣは、例えば、１３．５６ＭＨｚの周波数で磁場誘導を使用して動作し、最大４２４キロビット／秒までの速度でデータを転送する。ＮＦＣは電子装置間でデータの読み出し及び書き込みの両方の交換を行える。通信は、２つのＮＦＣ可能な装置を接近させることによって開始させることができる。
【００２３】
或る特定の実施形態では、２つのＮＦＣ適合可能な装置の間での通信は、例えば、これらの装置が互いから４ｃｍ以内に位置決めされているときに行える。一例として、装置を持つ使用者による動き又は接触によりＮＦＣ接続を確立することができる。この接続は、ブルートゥース又はＷｉ−Ｆｉのような他の既知の無線技術と適合させることができる。ＮＦＣ通信技術は、例えば、国際標準化機構（ＩＳＯ）及び／又は他の電気通信標準規格のような、公認された標準規格に従って動作する。伝送距離が短いので、ＮＦＣによる交信は機密保障を向上させる。
【００２４】
或る特定の実施形態では、ＮＦＣ装置は、例えば、０〜２０センチメートルの範囲内で働く。ＮＦＣ装置は、例えば、２つのモードの内の一方で動作することができる。受動通信モードでは、開始装置が搬送波の場を供給し、またターゲット装置が、該開始装置によって供給された既存の場を変調することによって応答する。受動モードでは、ターゲット装置は、開始装置によって供給された電磁場から電力を引き出すことができ、従って、ターゲット装置はトランスポンダになる。
【００２５】
能動通信モードでは、開始装置及びターゲット装置の両方がそれら自身の場を生成することによって通信を行う。能動モードでは、両方の装置は、典型的には、電源装置を備えている。
【００２６】
ＮＦＣ通信のためには共通のデータ・フォーマットが定められている。ＭＩＭＥ型オブジェクト、短いＲＴＤ文書、例えば、ＵＲＬ等々を含む異なる種類のデータを記憶し転送するために、ＮＤＥＦと呼ばれている共通のデータ・フォーマットを使用することができる。ＮＤＥＦを使用して、バイナリー記録が使用され、これらは異なる種類のオブジェクトを保持することができる。或る特定の実施形態では、データ・メッセージのために、第１の記録の種類がメッセージ全体の文脈を定める。
【００２７】
ＮＦＣ装置の接近に基づく通信は、通信が生じたときの使用者による制御をより容易にする。ＮＦＣ通信はまた、例えば、ブルートゥースとは対照的に、通信をオン／オフに切り換える必要性を無くす。ＮＦＣ通信は非接触カード方式と適合可能であり、また隔たった機械によって密かに読み出すことができないので、一層良好な機密保障を与える。
【００２８】
図１は、本発明の一実施形態に従った模範的なオン・デマンド携帯型医療記録システム及び業務の流れを例示する。図１に示されているように、システム１００は、入力装置１１０と、個人医療情報（ＰＭＩ）管理サービス機関１２０と、携帯型ＮＦＣ記憶装置１３０と、ＮＦＣ検索装置１４０と、医療施設記憶装置１５０とを含む。
【００２９】
或る特定の実施形態では、入力装置１１０は、患者情報を入力するためのコンピュータ及び／又は他のデータ入力装置であってよい。ＮＦＣ記憶装置１３０は、例えば、携帯電話、パーソナル・ディジタル・アシスタント（ＰＤＳ）及び／又は他の手持ち式通信装置であってよい。ＮＦＣ検索装置１４０は、例えば、ＮＦＣ記憶装置１３０からＮＦＣ情報を受け取ることのできる可搬型（すなわち、モバイル）ＮＦＣ走査装置及び／又は他のアンテナ利用のシステムであってよい。
【００３０】
例えば、図示されているように、図１の業務の流れでは、段階１６０で、データが入力装置１１０から使用者によって更新されてＰＭＩ管理サービス機関１２０へアップロードされる。情報のアップロードは、例えば、安全なインターネット又は他のネットワーク接続によって容易にすることができる。例えば、患者医療情報が医師によって病院端末を介して入力されて、安全な病院インターネット接続を使用してＰＭＩサービス機関１２０へアップロードされる。
【００３１】
段階１７０で、データが携帯電話によるような安全な使用者開始の通信を介してサービス機関１２０から読み出される。その代わりに及び／又はそれに加えて、通信は、例えば、スケジュール及び／又はトリガに基づいて自動的に開始することができる。データは、短期間の間、携帯電話のようなＮＦＣ記憶装置１３０に記憶することができる。その代わりに及び／又はそれに加えて、データは、記憶スペースが他のデータ及び／又は更新データで使用されるまでのような相対的に長い期間にわたって、装置１３０に記憶することができる。
【００３２】
段階１８０で、データが、使用者によって開始されたＮＦＣにより医療施設システム１５０へ転送される。その代わりに及び／又はそれに加えて、データ転送を、ＮＦＣ記憶装置１３０とＮＦＣ検索装置１４０との接近により自動的に開始させることができる。転送されたデータは、例えば、施設１５０に記憶されている既存のデータに対して検査されて、何らかの変更があった場合には更新及び／又は置換が行われる。例えば、医療施設職員がデータ転送を手助けして、転送されたデータを検証する役目を果たすことができる。
【００３３】
段階１９０で、データは医療施設データベース１５０に記憶されると共に、随意選択により患者のためのＰＭＩ管理サービス機関１２０にロードされる。ＰＭＩ管理サービス機関１２０は、例えば、患者が自身の医療情報を更新し管理するのに役立つことができる。
【００３４】
図２は、本発明の一実施形態に従った模範的な付き添い無しのオン・デマンド携帯型医療記録システム及び業務の流れを例示する。図２に示されているように、システム２００は、入力装置２１０と、ＰＭＩ管理サービス機関２２０と、携帯型ＮＦＣ記憶装置２３０と、ＮＦＣ検索装置２４０と、医療施設記憶装置２５０とを含む。
【００３５】
或る特定の実施形態では、入力装置２１０は、患者情報を入力するためのコンピュータ及び／又は他のデータ入力装置であってよい。ＮＦＣ記憶装置２３０は、例えば、携帯電話、パーソナル・ディジタル・アシスタント（ＰＤＳ）及び／又は他の手持ち式通信装置であってよい。ＮＦＣ検索装置２４０は、例えば、ＮＦＣ記憶装置２３０からＮＦＣ情報を受け取ることのできる可搬型ＮＦＣ走査装置及び／又は他のアンテナ利用のシステムであってよい。検索装置２４０は、例えば、データの観察及び検証のためのコンピュータと連接及び／又は一体化して具現化することができる。
【００３６】
例えば、図示されているように、図２の業務の流れでは、段階２６０で、データが入力装置２１０から使用者によって更新されてＰＭＩ管理サービス機関２２０へアップロードされる。情報のアップロードは、例えば、安全なインターネット又は他のネットワーク接続によって容易にすることができる。例えば、患者医療情報が医師によって病院端末を介して入力されて、安全な病院インターネット接続を使用してＰＭＩサービス機関２２０へアップロードされる。
【００３７】
段階２７０で、データが携帯電話によるような安全な使用者開始の通信を介してサービス機関２２０から読み出される。その代わりに及び／又はそれに加えて、通信は、例えば、スケジュール及び／又はトリガに基づいて自動的に開始することができる。データは、短期間の間、携帯電話のようなＮＦＣ記憶装置２３０に記憶することができる。その代わりに及び／又はそれに加えて、データは、記憶スペースが他のデータ及び／又は更新データで使用されるまでのような相対的に長い期間にわたって、装置２３０に記憶することができる。
【００３８】
段階２８０で、データが、使用者によって開始されたＮＦＣにより医療施設システム２５０へ転送される。その代わりに及び／又はそれに加えて、データ転送を、ＮＦＣ記憶装置２３０とＮＦＣ検索装置２４０との接近により自動的に開始させることができる。データは、手持ち式タブレット型ＰＣやセルフサービス・キオスク・ステーションのようなＮＦＣ検索装置２４０を使用して使用者によって検索され且つ確認される。追加のデータは、装置２４０を介して直接に使用者によって追加することができる。
【００３９】
段階２９０で、データは医療施設データベース２５０に記憶されると共に、随意選択により患者のためのＰＭＩ管理サービス機関２２０にロードされる。ＰＭＩ管理サービス機関２２０は、例えば、患者が自身の医療情報を更新し管理するのに役立つことができる。
【００４０】
図３は、本発明の一実施形態に従った模範的な緊急オン・デマンド携帯型医療記録システム及び業務の流れを例示する。図３に示されているように、システム３００は、入力装置３１０と、個人医療情報（ＰＭＩ）管理サービス機関３２０と、携帯型ＮＦＣ記憶装置３３０と、ＮＦＣ検索装置３４０と、医療施設記憶装置３５０とを含む。
【００４１】
或る特定の実施形態では、入力装置３１０は、患者情報を入力するためのコンピュータ及び／又は他のデータ入力装置であってよい。ＮＦＣ記憶装置３３０は、例えば、携帯電話、パーソナル・ディジタル・アシスタント（ＰＤＳ）及び／又は他の手持ち式通信装置であってよい。ＮＦＣ検索装置３４０は、例えば、ＮＦＣ記憶装置３３０からＮＦＣ情報を受け取ることのできる可搬型ＮＦＣ走査装置及び／又は他のアンテナ利用のシステムであってよい。
【００４２】
例えば、図示されているように、図３の業務の流れでは、段階３６０で、データが入力装置３１０から使用者によって更新されてＰＭＩ管理サービス機関３２０へアップロードされる。情報のアップロードは、例えば、安全なインターネット又は他のネットワーク接続によって容易にすることができる。例えば、患者医療情報が医師によって病院端末を介して入力されて、安全な病院インターネット接続を使用してＰＭＩサービス機関３２０へアップロードされる。
【００４３】
段階３７０で、患者が医療施設に到着するが、緊急事態に起因して施設職員と会話することができない。例えば、意識を失った患者が救急車で病院に運ばれる。
【００４４】
段階３８０で、固有のＰＭＩ識別子がＮＦＣ通信を介して医療施設システム３５０へ転送される。この転送は、ＮＦＣ記憶装置３３０とＮＦＣ検索装置３４０との間で医療施設職員によって開始される。緊急用ＮＦＣ記憶装置３３０は、識別子を記憶し且つ送信する能力のある、医療警報装置又は財布サイズの識別カード又は他の携帯型装置のような、携帯電話に基づく装置及び／又は他の装置とすることができる。次いで、ＰＭＩ識別子が、先ず監査識別子を医療施設からアップロードすることによってＰＭＩサービス機関１２０に対して検査される。
【００４５】
段階３９０で、医療施設のＰＭＩ識別子が有効である場合、患者データは施設システム３５０へ戻される。或る特定の実施形態では、データはＰＭＩ管理サービス機関３２０へもアップロードすることができる。
【００４６】
上記のように、ＮＦＣ検索装置１４０，２４０，３４０は、患者のＮＦＣ記憶装置１３０，２３０，３３０に記憶されている患者情報を検索するために、近距離場通信を介してＮＦＣ記憶装置１３０，２３０，３３０と通信することができる。ＮＦＣ検索装置１４０，２４０，３４０はまた、患者情報を記憶させるために記憶装置１３０，２３０，３３０と通信することができる。或る特定の実施形態では、ＮＦＣ装置１３０，２３０，３３０に記憶されている個人情報の幾分か又は全てを、許可なしに読み出すことができる。或る特定の実施形態では、ＮＦＣ装置１３０，２３０，３３０に記憶されている個人情報は許可なしに何ら読み出すことはできない。許可は、例えば、患者又は医療管理者によって与えることができる。許可なしにアクセスすることのできる個人情報の例としては、患者の氏名、住所、患者連絡先情報、及び患者識別子が挙げられる。
【００４７】
患者情報には、例えば、次の情報、すなわち、患者の氏名、患者の住所、患者連絡先情報、緊急連絡先情報、保険情報、請求書情報、一次診療医情報、専門医情報、医薬品情報、アレルギー情報、現在の薬物治療情報、及び患者識別子の内の１つ以上を含むことができる。患者情報にはまた、患者記録及び報告を含むことができる。更に、患者情報にはまた、例えば、経歴情報、病歴、家族歴、遺伝子検査結果、血液検査結果、心拍数、血圧、血流量、及び生物指標存在情報を含むことができる。患者識別子は、例えば、ネットワーク内で又は広域で一意的なものとすることができる。血液検査結果は、例えば、血中酸素濃度、白血球数、Ｔ細胞数、完全血球算定、甲状腺、心臓危険因子、コレステロール、ＰＳＡ（前立腺）、老廃物及びブドウ糖についての試験結果を含むことができる。或る特定の実施形態では、患者情報は多数の情報源から得ることができる。例えば、患者情報は、患者、保険会社、ネットワーク内の保健医療提供者、及びネットワーク外の保健医療提供者の内の１つ以上から得ることができる。
【００４８】
ＮＦＣ検索装置１４０，２４０，３４０は、医療施設及び／又は他のネットワークのデータベース又はデータ記憶装置１５０，２５０，３５０と通信して、データベース１５０，２５０，３５０に記憶されている患者情報を検索することができる。ＮＦＣ検索装置１４０，２４０，３４０はまた、施設の記憶装置１５０，２５０，３５０と通信して、記憶装置１５０，２５０，３５０に患者情報を記憶させることができる。
【００４９】
或る特定の実施形態では、患者データは、医療報告を完成させるために使用することができる。医療報告には、例えば、定期的予約、診断用走査、スクリーニング用走査、臨床検査又は手術のような診療予約又は処置に関する患者情報を含むことができる。
【００５０】
或る特定の実施形態では、上述したＮＦＣ装置並びに／又は処理及び通信能力を持つ別の手持ち式装置のようなコンピュータ利用の可搬型装置を使用して、患者情報を交換する。コンピュータ利用の可搬型装置は、ＰＭＩサービス機関のようなバックエンド・サービス機関と通信して、装置の近くの患者について患者医療情報（例えば、患者の人口統計学的情報、試験報告、放射線医学報告、診断画像、薬物治療法、検査報告など）を表示する。或る特定の実施形態では、可搬型装置はバックエンド患者位置突止めサービス機関と相互作用して、これにより、ＮＦＣ、無線ＲＦＩＤ又はＧＰＳのような技術を介して物理的位置を追跡して、装置の設定された範囲内に居る患者を識別する。可搬型装置は、その範囲内に入ってきた患者についてバックエンド記憶装置から患者医療情報を動的に検索することができ、またその範囲から外れた患者からローカル記憶装置を更正することができる。
【００５１】
入院患者治療の場合、装置を保持している医療提供者が病院内を動き回るとき、可搬型装置は、近づいている患者について医療情報を予めロードすることが可能であり、また医療提供者による診察を受ける患者について医療情報を持つことができる。
【００５２】
外来患者の診療の場合、装置の範囲が医師の待機区域になるように構成設定されているとき、装置は待機中の患者についての患者医療情報を予めロードすることができる。身元が確認できる患者が救急医療室に入ってきた場合に、装置はデータ・アクセス時間を節約することができる。
【００５３】
可搬型装置は、ＰＡＣＳ、ＲＩＳ／ＨＩＳ、患者登録（例えば、入院・退院・転院（ＡＤＴ））などのようなバックエンド保健医療情報システムに記憶されている患者医療情報にアクセスするために他のバックエンド・サービス機関と相互作用する。可搬型装置は、使用者が患者についての覚書及びメッセージを入力できるようにし、且つこのような覚書又はメッセージを他の使用者に伝え及び／又はその内容をバックエンド記憶装置に記憶させる手段を提供する。
【００５４】
或る特定の実施形態では、可搬型装置は構成設定可能なプリフェッチ・アルゴリズムを使用して、検索して表示するために含めるべき患者医療情報を選択する。異なる種類の処置を受ける患者について異なる組の情報を表示することができる。
【００５５】
或る特定の実施形態では、可搬型装置は構成設定可能な保持アルゴリズムを使用して、範囲外の患者を選択して患者のデータをローカル記憶装置から消去する。範囲の縁にいる患者についてロードと消去を繰り返すのを防止するための猶予期間を構成設定することができる。
【００５６】
或る特定の実施形態では、可搬型装置は、患者医療情報を表示し、簡単なテキスト又は音声入力を受け入れ、そしてＮＦＣ、ＲＦＩＤ又はＧＰＳ通信のような無線通信能力を含むことのできる手持ち式タブレット型装置を含む。或る特定の実施形態では、ＮＦＣ、ＲＦＩＤ又はＧＰＳ位置追跡システムのような追跡システムにより、患者及び可搬型装置の物理的位置を追跡する。
【００５７】
バックエンド・サービス機関は、実時間で物理的位置に基づいて、可搬型装置の設定されたフェッチ（取り出し）範囲内にどの患者が入るのか（例えば、装置から所与の距離内の全ての患者又は装置と同じ室内の全ての患者）を決定する。また、バックエンド構成設定サービス機関は、使用者がフェッチ範囲内の患者について可搬型装置にロードすべき患者医療情報の種類に関して規則を指定するための便利なユーザー・インターフェースを提供する。規則には、関連した情報を選択するための因子として患者の状態及び処置の種類を含むことができる。別のバックエンド・サービス機関は、ＰＡＣＳ、ＲＩＳ／ＨＩＳ、薬局、検査室などのような多数の病院情報システムから患者についての関連した患者医療情報を呼び出すことができる。サービス機関は、例えば、ユーザー・インターフェース・サービス機関からの構成設定情報を使用して、関連した医療情報がどんな情報であるか決定する。更に、バックエンド構成設定サービス機関は、装置の範囲外の患者に属している情報を消去すべき時に関する規則を使用者が指定するための便利なユーザー・インターフェースを提供する。
【００５８】
可搬型装置内の制御モジュールが１つ以上のバックエンド・サービス機関を使用する。例えば、制御モジュールは、そのフェッチ範囲内にある患者を決定するためにバックエンド・サービス機関を使用する。装置内に医療情報を持っていない各々の範囲内患者について、制御モジュールは、このような情報をロードするようにバックエンド・サービス機関に要求する。或る特定の実施形態では、ロード動作の優先権が、最も近い患者に与えられる。制御モジュールは、バックエンド・サービス機関から構成設定情報を使用して、データ記憶装置のスペースを空けるために装置からその情報を消去することのできる患者を識別する。もし医師が患者についての追加の情報を入力した場合、制御モジュールはバックエンド・サービス機関を使用して、例えば、関連したバックエンド・システムを更新し及び／又は電子メール、電話又はページ・メッセージを送る。
【００５９】
或る特定の実施形態では、所定の範囲内の患者を動的に見付けて彼らの情報を予めロードすることによって、軽量の可搬型装置についての主な２つの制約、すなわち、ローカル記憶装置の大きさ及びネットワークの帯域幅の制約を克服する。情報はジャスト・イン・タイムの態様で供給することができる。重要な情報が保健医療提供者に都合よく入手できるので、病院は医療を実施する効率を改善することができる。
【００６０】
従って、或る特定の実施形態は、ＮＦＣ及び／又は他の無線装置を保健医療情報システム及び電子的患者医療記録と統合すると云う技術的効果をもたらす。オン・デマンド患者医療記録（ＯＤＰＭＲ）が、病歴を医療提供者に提供するための手動の方法に取って代わる。例えば、ＮＦＣ技術は、中央記憶サービス機関と、患者手持ち式装置と、医療提供者装置と相互作用するように活用することができる。
【００６１】
とりわけ、前に例示したように、患者の病歴を医療提供者へ伝送するためにＮＤＣ技術を使用することは、時間を節約し、患者の経験を改善するのに役立ち、患者記録情報の正確さ及び完全さを改善するのに役立ち、またしばしば重大な状況において病歴情報にアクセスするのに役立つ。ＮＦＣ技術を使用すると、例えば、患者は書類に記入する必要がなくなり、また医療情報は医療提供者の情報システムに再入力する必要がなくなる。ＮＦＣ技術を使用することは、臨床環境において見られるように前もって患者が記入しなければならない苛立たしい事務的手続きの量を減らすのに役立つ。また、患者は自身の病歴の全てを憶えていないことが多く、且つ患者が誤った情報を入力し又は医療提供者が情報を読み間違うことがあるが、患者医療情報の自動的なＮＦＣによるやりとりは、一層完全で正確な記録を提供するのに役立つ。また、患者が意識を失っている場合、患者自身のＮＦＣ可能な携帯電話が当該患者についての情報を提供することが可能である。
【００６２】
上述のインターフェース及びシステムの構成部品、素子及び／又は機能は、例えば、ハードウエア、ファームウエア、及び／又はソフトウエアの一組の命令として、単独で、或いは様々な形態で組み合わせて、具現化することができる。或る特定の実施形態は、例えば、ＰＡＣＳワークステーション又は１つ以上の専用プロセッサのような、汎用コンピュータ又は他の処理装置で実行するための、メモリ又はハードディスクのようなコンピュータ読取り可能な媒体上に存在する一組の命令として提供することができる。
【００６３】
これまで、図面を参照して幾つかの実施形態を説明した。これらの図面は、本発明のシステム及び方法及びプログラムを具現化する具体的な実施形態の特定の細部を例示している。しかしながら、図面による本発明の説明は、図面に示された特徴に関連して何らかの制限を本発明に課すものとして解釈すべきではない。本発明は、その動作を達成するための方法、システム及び機械読取り可能な媒体上のプログラム製品を意図している。前に述べたように、本発明の実施形態は、既存のコンピュータ・プロセッサを使用して、或いはこの又は別の目的のために組み込まれた専用コンピュータ・プロセッサによって、又は有線のシステムによって、具現化することができる。
【００６４】
前に述べたように、本発明の範囲内の或る特定の実施形態は、その上に記憶された機械実行可能な命令又はデータ構造を担持し又は持つための機械読取り可能な媒体を有するプログラム製品を含む。このような機械読取り可能な媒体は、汎用又は専用コンピュータによって、或いはプロセッサを備えた他の機械によってアクセスすることのできる任意の入手可能な媒体とすることができる。例えば、このような機械読取り可能な媒体には、ＲＡＭ、ＲＯＭ、ＰＲＯＭ、ＥＰＲＯＭ、ＥＥＰＲＯＭ、フラッシュ・メモリ、ＣＤ−ＲＯＭ又は他の光学ディスク記憶装置、磁気ディスク記憶装置又は他の磁気記憶装置、或いは機械実行可能な命令又はデータ構造の形で所望のプログラム・コードを担持し又は記憶するために使用することができ且つ汎用又は専用コンピュータ又は他のプロセッサ付き機械によってアクセスすることができる任意の他の媒体を含むことができる。情報がネットワーク又は別の通信接続（有線、無線、又はそれらの組合せのいずれか）を介して機械へ転送又は供給されるとき、機械は該接続を機械読取り可能な媒体と見なす。従って、このような接続は機械読取り可能な媒体と呼ばれる。上記の組合せもまた機械読取り可能な媒体の範囲内に含まれる。機械実行可能な命令は、例えば、汎用コンピュータ、専用コンピュータ又は専用処理機械に或る特定の機能又は一群の機能を遂行させる命令及びデータを有する。
【００６５】
本発明の或る特定の実施形態は一般的に様々な段階の方法で記述され、該方法は、一実施形態では、例えばネットワーク接続された環境内の機械によって実行されるプログラム・モジュールの形のプログラム・コードのような機械実行可能な命令を含むプログラム製品によって具現化することができる。一般に、プログラム・モジュールは、特別なタスクを遂行し又は特別な抽象的なデータの種類を具現化するようなルーチン、プログラム、オブジェクト、構成要素、データ構造などを含む。機械実行可能な命令、関連したデータ構造、及びプログラム・モジュールは、本書で述べた方法の様々な段階を実行するためのプログラム・コードの例を表す。このような実行可能な命令又は関連したデータ構造の特定のシーケンスは、このような段階で述べられている機能を具現化するための対応する行為の例を表す。
【００６６】
本発明の或る特定の実施形態は、プロセッサを持つ１つ以上の遠隔のコンピュータに対する論理的接続を使用して、ネットワーク接続された環境内で実施することができる。論理的接続は、限定ではなく例として提示するローカル・エリア・ネットワーク（ＬＡＮ）及びワイド・エリア・ネットワーク（ＷＡＮ）を含むことができる。このようなネットワーク接続環境は、オフィス全体又は企業全体のコンピュータ・ネットワーク、イントラネット及びインターネットにおいて一般的なことであり、また多種多様な通信プロトコルを使用することができる。当業者なら、このようなネットワーク計算環境が典型的には、パーソナル・コンピュータ、手持ち式装置、マルチプロセッサ・システム、マイクロプロセッサをベースとした又はプログラム可能な家庭用電子装置、ネットワークＰＣ、ミニコンピュータ、メインフレーム・コンピュータ等々を含む多種類のコンピュータ・システム構成を網羅することが理解されよう。本発明の様々な実施形態はまた、通信ネットワークを介して（有線リンク、無線リンク、又はそれらの組合せのいずれかによって）連結されたローカル及び遠隔の処理装置によってタスクが遂行される分散型計算環境において実施することができる。分散型計算環境では、プログラム・モジュールはローカル及び遠隔のメモリ記憶装置の両方に配置することができる。
【００６７】
本発明のシステム全体又は一部分を具現化するための模範的なシステムは、処理装置と、システム・メモリと、該システム・メモリを含む様々なシステム構成部品を該処理装置に結合するシステム母線とを含んでいるコンピュータの形態の汎用計算装置を含むこともできる。システム・メモリは、読出し専用メモリ（ＲＯＭ）及びランダム・アクセス・メモリ（ＲＡＭ）を含むことができる。コンピュータはまた、磁気ハードディスクに対して読み出し及び書き込みを行うための磁気ハードディスク駆動装置、取り出し可能な磁気ディスクに対して読み出し及び書き込みを行うための磁気ディスク駆動装置、及びＣＤ−ＲＯＭ又は他の光媒体のような取り出し可能な光ディスクに対して読み出し及び書き込みを行うための光ディスク駆動装置を含むことができる。これらの駆動装置及びそれらの関連した機械読取り可能な媒体は、機械実行可能な命令、データ構造、プログラム・モジュール及びコンピュータ用の他のデータについての非揮発性記憶装置を構成する。
【００６８】
本発明の様々な実施形態についての以上の記載は、例示と説明のために提示した。それらは、本発明を網羅しているものでも、また開示した通りの形態に本発明を限定するものでもなく、従って、様々な修正及び変形が上記の教示内容から可能であり、又は本発明の実施から得ることができる。実施形態は、当業者が本発明を様々な実施態様で且つ考えられる特定の用途に適合するように様々に修正して利用することができるように、本発明の原理及びその実用的な用途を説明するために選択して説明した。
【００６９】
当業者には、本書に開示した実施形態が様々な保健医療情報システムの形成に適用できることが理解されよう。本発明の様々な実施形態の特定の特徴を本書に記載のように例示したが、多数の修正、置換、変更及び等価物が当業者には考えられよう。また、幾つかの機能ブロック及びそれらの間の関係を詳しく説明したが、当業者には、動作の幾つかがその他の動作を用いることなく遂行できること、或いは追加の機能又は機能間の関係が本発明に従って設定できることが考えられよう。従って、特許請求の範囲は、本発明の実施形態の真の精神の範囲内に入る全てのこのような修正及び変更を包含しようとするものであることを理解されたい。
【符号の説明】
【００７０】
１００  オン・デマンド携帯型医療記録システム
１１０  入力装置
１２０  個人医療情報（ＰＭＩ）管理サービス機関
１３０  携帯型ＮＦＣ記憶装置
１４０  ＮＦＣ検索装置
１５０  医療施設記憶装置
２００  オン・デマンド携帯型医療記録システム
２１０  入力装置
２２０  ＰＭＩ管理サービス機関
２３０  携帯型ＮＦＣ記憶装置
２４０  ＮＦＣ検索装置
２５０  医療施設記憶装置
３００  オン・デマンド携帯型医療記録システム
３１０  入力装置
３２０  個人医療情報（ＰＭＩ）管理サービス機関
３３０  携帯型ＮＦＣ記憶装置
３４０  ＮＦＣ検索装置
３５０  医療施設記憶装置
【図１】
2009238225.tif 000003
【図２】
2009238225.tif 000004
【図３】
2009238225.tif 000005